(57)【要約】【課題】原稿各々から読み取られる画像データを仕分けする場合に生じるユーザーの手間を軽減可能な画像読取装置、画像形成装置、及び画像読取方法を提供すること。【解決手段】画像形成装置は、原稿各々から画像データを順次読み取る読取処理部と、読取処理部によって読み取られる画像データに含まれる仕分画像を検出する検出処理部と、読取処理部によって読み取られた画像データが仕分画像を含む場合に、共有フォルダー８１に仕分画像に対応付けられた分類フォルダー８４が存在するか否かを判断する判断処理部と、仕分画像に対応付けられた分類フォルダー８４が存在しないと判断された場合に、共有フォルダー８１に仕分画像に対応付けられた分類フォルダー８４を生成して、生成された分類フォルダー８４に仕分画像を含む画像データを格納する第１格納処理部と、を備える。【選択図】図３
2018093306.tif 000002
【特許請求の範囲】
【請求項１】
原稿各々から画像データを順次読み取る読取処理部と、
前記読取処理部によって読み取られる画像データに含まれる予め定められた仕分画像を検出する検出処理部と、
前記読取処理部によって読み取られた画像データが前記仕分画像を含む場合に、前記読取処理部によって読み取られる画像データが格納されるフォルダーが設けられる第１記憶部に前記仕分画像に対応付けられた前記フォルダーが存在するか否かを判断する判断処理部と、
前記判断処理部によって前記仕分画像に対応付けられた前記フォルダーが存在しないと判断された場合に、前記仕分画像に対応付けられた前記フォルダーを前記第１記憶部に生成して、生成された前記フォルダーに前記仕分画像を含む画像データを格納する第１格納処理部と、
を備える画像読取装置。
【請求項２】
前記検出処理部によって検出された前記仕分画像の特徴を識別する識別処理部を備え、
前記判断処理部は、前記識別処理部によって識別される前記仕分画像の特徴に対応付けられた前記フォルダーが存在するか否かを判断し、
前記第１格納処理部は、前記判断処理部によって前記仕分画像の特徴に対応付けられた前記フォルダーが存在しないと判断された場合に、前記仕分画像の特徴に対応付けられた前記フォルダーを前記第１記憶部に生成して、生成された前記フォルダーに前記仕分画像を含む画像データを格納する、
請求項１に記載の画像読取装置。
【請求項３】
前記読取処理部によって読み取られた画像データが前記仕分画像を含まない場合であって、前記仕分画像を含まない画像データが前記読取処理部によって読み取られる最初の画像データである場合に、前記仕分画像を含まない画像データを予め定められた特定フォルダーに格納し、前記仕分画像を含まない画像データが前記読取処理部によって読み取られる最初の画像データではない場合に、前記仕分画像を含まない画像データを前記読取処理部によって読み取られた一つ前の画像データが格納された前記フォルダーに格納する第２格納処理部を備える、
請求項２に記載の画像読取装置。
【請求項４】
前記検出処理部によって前記仕分画像が検出された場合であって、前記特定フォルダーに画像データが格納されている場合に、前記特定フォルダーに格納されている画像データを前記検出処理部によって検出された前記仕分画像の特徴に対応付けられた前記フォルダーに移動させる移動処理部を備える、
請求項３に記載の画像読取装置。
【請求項５】
前記第１格納処理部は、前記判断処理部によって前記仕分画像の特徴に対応付けられた前記フォルダーが存在しないと判断された場合に、前記第１記憶部に前記フォルダーを生成して、生成された前記フォルダーと前記仕分画像の特徴との対応関係を示す対応関係情報を予め定められた第２記憶部に格納し、
前記判断処理部は、前記第２記憶部に格納されている前記対応関係情報に基づいて、前記第１記憶部に前記仕分画像の特徴に対応付けられた前記フォルダーが存在するか否かを判断し、
前記画像読取装置は、前記第２記憶部に格納されている前記対応関係情報を消去する消去処理部を備える、
請求項２〜４のいずれかに記載の画像読取装置。
【請求項６】
前記第１記憶部に設けられている前記フォルダーを出力する出力処理部を備え、
前記消去処理部は、前記出力処理部によって前記フォルダーが出力された場合に、前記第２記憶部に格納されている前記対応関係情報を消去する、
請求項５に記載の画像読取装置。
【請求項７】
前記仕分画像に含まれる前記出力処理部による前記フォルダーの出力先を示す出力先情報を検出する出力先検出部を備え、
前記出力処理部は、前記出力先検出部によって前記出力先情報が検出された場合に、前記出力先情報によって示される出力先に前記フォルダーを出力する、
請求項６に記載の画像読取装置。
【請求項８】
前記仕分画像は、原稿に貼付された付箋の画像を含む、
請求項１〜７のいずれかに記載の画像読取装置。
【請求項９】
請求項１〜８のいずれかに記載の画像読取装置と、
画像データに基づいて画像を形成する画像形成部と、
を備える画像形成装置。
【請求項１０】
原稿各々から画像データを順次読み取る読取ステップと、
前記読取ステップによって読み取られる画像データに含まれる予め定められた仕分画像を検出する検出ステップと、
前記読取ステップによって読み取られた画像データが前記仕分画像を含む場合に、前記読取ステップによって読み取られる画像データが格納されるフォルダーが設けられる第１記憶部に前記仕分画像に対応付けられた前記フォルダーが存在するか否かを判断する判断ステップと、
前記判断ステップによって前記仕分画像に対応付けられた前記フォルダーが存在しないと判断された場合に、前記仕分画像に対応付けられた前記フォルダーを前記第１記憶部に生成して、生成された前記フォルダーに前記仕分画像を含む画像データを格納する格納ステップと、
を含む画像読取方法。
【発明の詳細な説明】
【技術分野】
【０００１】
本発明は、原稿から画像データを読み取る画像読取装置、画像読取装置を備える画像形成装置、及び画像読取方法に関する。
【背景技術】
【０００２】
原稿から画像データを読み取るスキャナーのような画像読取装置が知られている。この種の画像読取装置では、原稿から読み取られた画像データが予め設定された保存先へ保存される。ここで、原稿から読み取られた画像データを、その画像データから検出される付箋情報に対応付けられた保存先へ保存することが可能な構成が従来技術として知られている（特許文献１参照）。前記従来技術の構成では、原稿各々から読み取られる画像データを、その原稿に付される付箋の特徴に応じた保存先へ仕分けすることが可能である。
【先行技術文献】
【特許文献】
【０００３】
【特許文献１】特開２０１５−２６９７８号公報
【発明の概要】
【発明が解決しようとする課題】
【０００４】
しかしながら、前記従来技術の構成では、原稿各々から読み取られる画像データを仕分けする場合に、ユーザーにおいて予め付箋の特徴と保存先とを対応付ける操作が必要になる。
【０００５】
本発明の目的は、原稿各々から読み取られる画像データを仕分けする場合に生じるユーザーの手間を軽減可能な画像読取装置、画像形成装置、及び画像読取方法を提供することにある。
【課題を解決するための手段】
【０００６】
本発明の一の局面に係る画像読取装置は、読取処理部と、検出処理部と、判断処理部と、第１格納処理部とを備える。前記読取処理部は、原稿各々から画像データを順次読み取る。前記検出処理部は、前記読取処理部によって読み取られる画像データに含まれる予め定められた仕分画像を検出する。前記判断処理部は、前記読取処理部によって読み取られた画像データが前記仕分画像を含む場合に、前記読取処理部によって読み取られる画像データが格納されるフォルダーが設けられる第１記憶部に前記仕分画像に対応付けられた前記フォルダーが存在するか否かを判断する。前記第１格納処理部は、前記判断処理部によって前記仕分画像に対応付けられた前記フォルダーが存在しないと判断された場合に、前記仕分画像に対応付けられた前記フォルダーを前記第１記憶部に生成して、生成された前記フォルダーに前記仕分画像を含む画像データを格納する。
【０００７】
本発明の他の局面に係る画像形成装置は、前記画像読取装置と、画像形成部とを備える。前記画像形成部は、画像データに基づいて画像を形成する。
【０００８】
本発明の他の局面に係る画像読取方法は、読取ステップと、検出ステップと、判断ステップと、格納ステップとを含む。前記読取ステップでは、原稿各々から画像データが順次読み取られる。前記検出ステップでは、前記読取ステップで読み取られる画像データに含まれる予め定められた仕分画像が検出される。前記判断ステップでは、前記読取ステップで読み取られた画像データが前記仕分画像を含む場合に、前記読取ステップで読み取られる画像データが格納されるフォルダーが設けられる第１記憶部に前記仕分画像に対応付けられた前記フォルダーが存在するか否かが判断される。前記格納ステップでは、前記判断ステップで前記仕分画像に対応付けられた前記フォルダーが存在しないと判断された場合に、前記仕分画像に対応付けられた前記フォルダーが前記第１記憶部に生成されて、生成された前記フォルダーに前記仕分画像を含む画像データが格納される。
【発明の効果】
【０００９】
本発明によれば、原稿各々から読み取られる画像データを仕分けする場合に生じるユーザーの手間を軽減することが可能である。
【図面の簡単な説明】
【００１０】
【図１】図１は、本発明の第１実施形態に係る画像形成装置の構成を示す図である。
【図２】図２は、本発明の第１実施形態に係る画像形成装置のシステム構成を示すブロック図である。
【図３】図３は、本発明の第１実施形態に係る画像形成装置の記憶部に構築されるファイルシステムの一例を示す図である。
【図４】図４は、本発明の第１実施形態に係る画像形成装置の制御部のＲＡＭに格納される対応関係情報の一例を示す図である。
【図５】図５は、本発明の第１実施形態に係る画像形成装置で実行される第１仕分処理の一例を示すフローチャートである。
【図６】図６は、図５に示される第１仕分処理における一部の処理を示すフローチャートである。
【図７】図７は、本発明の第２実施形態に係る画像形成装置のシステム構成を示すブロック図である。
【図８】図８は、本発明の第２実施形態に係る画像形成装置で実行される第２仕分処理の一例を示すフローチャートである。
【図９】図９は、図８に示される第２仕分処理における一部の処理を示すフローチャートである。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
［第１実施形態］
まず、図１〜図３を参照しつつ、本発明の第１実施形態に係る画像形成装置１０の構成について説明する。ここで、図１は画像形成装置１０の構成を示す断面模式図である。なお、図３では、共有フォルダー８１内に生成される分類フォルダー８４が破線によって示されている。
【００１３】
画像形成装置１０は、原稿から画像データを読み取るスキャン機能、及び画像データに基づいて画像を形成するプリント機能と共に、ファクシミリ機能、及びコピー機能などの複数の機能を有する複合機である。
【００１４】
図１及び図２に示されるように、画像形成装置１０は、ＡＤＦ（自動原稿搬送装置）１、画像読取部２、画像形成部３、給紙部４、制御部５、操作表示部７、及び記憶部８を備える。ここに、画像読取部２、及び制御部５を備える装置が、本発明における画像読取装置の一例である。なお、本発明は、スキャナー装置、ファクシミリ装置、及びコピー機などの画像読取装置又は画像形成装置に適用可能である。
【００１５】
ＡＤＦ１は、原稿セット部、複数の搬送ローラー、原稿押さえ、及び排紙部を備え、画像読取部２によって読み取られる原稿を搬送する。画像読取部２は、原稿台、光源、複数のミラー、光学レンズ、及びＣＣＤを備え、原稿から画像データを読み取ることが可能である。
【００１６】
画像形成部３は、画像読取部２で読み取られた画像データに基づいて、電子写真方式で画像を形成することが可能である。また、画像形成部３は、外部のパーソナルコンピューター等の情報処理装置から入力された画像データに基づいて、画像を形成することも可能である。具体的に、画像形成部３は、感光体ドラム、帯電装置、光走査装置、現像装置、転写装置、クリーニング装置、定着装置、及び排紙トレイを備える。給紙部４は、給紙カセット、シート搬送路、及び複数の搬送ローラーを備え、画像形成部３にシートを供給する。画像形成部３は、給紙部４から供給されるシートに、画像データに基づく画像を形成する。画像形成部３による画像形成後のシートは、前記排紙トレイに排出される。なお、画像形成部３は、インクジェット方式などの他の画像形成方式により画像を形成するものであってもよい。
【００１７】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは揮発性の記憶媒体であり、前記ＥＥＰＲＯＭは不揮発性の記憶媒体である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００１８】
操作表示部７は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１９】
記憶部８は、不揮発性の記憶媒体である。例えば、記憶部８は、フラッシュメモリー、ＳＳＤ（ソリッドステートドライブ）、又はＨＤＤ（ハードディスクドライブ）などの記憶媒体である。
【００２０】
図３に示されるように、記憶部８には、画像データ、文書データなどのファイルの管理に用いられるファイルシステムＦＳが構築されている。ファイルシステムＦＳは、木構造によって階層化された複数のフォルダーを有する。ここで、前記フォルダーは、前記ファイルの分類、及び整理に用いられる前記ファイルの保管場所である。具体的に、ファイルシステムＦＳは、ルートフォルダー８０、共有フォルダー８１、複数の個人フォルダー８２、及び未分類フォルダー８３などを含む。
【００２１】
ルートフォルダー８０は、ファイルシステムＦＳの木構造の根を表すフォルダーである。ルートフォルダー８０は、図３に示されるように、共有フォルダー８１、及び複数の個人フォルダー８２を含む。
【００２２】
共有フォルダー８１は、画像形成装置１０のユーザー各々が利用可能なフォルダーである。共有フォルダー８１は、図３に示されるように、未分類フォルダー８３を含む。また、共有フォルダー８１には、図３に示されるように、分類フォルダー８４が生成される。未分類フォルダー８３、及び分類フォルダー８４については後述する。
【００２３】
個人フォルダー８２は、画像形成装置１０のユーザー各々に割り当てられるフォルダーである。具体的に、画像形成装置１０では、予め登録されたユーザーＩＤ及びパスワードを用いてユーザーを認証するログイン処理が実行される。また、画像形成装置１０では、認証可能なユーザーが登録されるごとに、登録されたユーザーに対応する個人フォルダー８２がルートフォルダー８０内に生成される。画像形成装置１０では、画像形成装置１０にログインしていないユーザーによる個人フォルダー８２へのアクセスが禁止される。また、画像形成装置１０では、画像形成装置１０にログインしているユーザーによる他のユーザーに対応する個人フォルダー８２へのアクセスが禁止される。
【００２４】
ところで、原稿から読み取られた画像データを、その画像データから検出される付箋情報に対応付けられた保存先へ保存することが可能な構成が従来技術として知られている。前記従来技術の構成では、原稿各々から読み取られる画像データを、その原稿に付される付箋の特徴に応じた保存先へ仕分けすることが可能である。
【００２５】
しかしながら、前記従来技術の構成では、原稿各々から読み取られる画像データを仕分けする場合に、ユーザーにおいて予め付箋の特徴と保存先とを対応付ける操作が必要になる。これに対し、本発明の実施形態に係る画像形成装置１０は、以下に説明するように、原稿各々から読み取られる画像データを仕分けする場合に生じるユーザーの手間を軽減することが可能である。
【００２６】
具体的に、制御部５の前記ＲＯＭには、前記ＣＰＵに後述の第１仕分処理（図５のフローチャート参照）を実行させるための第１仕分プログラムが予め記憶されている。なお、前記第１仕分プログラムは、ＣＤ、ＤＶＤ、フラッシュメモリーなどのコンピューター読み取り可能な記録媒体に記録されており、前記記録媒体から読み取られて記憶部８にインストールされるものであってもよい。
【００２７】
そして、制御部５は、図２に示されるように、第１読取処理部５１、検出処理部５２、識別処理部５３、出力先検出部５４、判断処理部５５、第３格納処理部５６、第１格納処理部５７、出力処理部５８、及び消去処理部５９を含む。具体的に、制御部５は、前記ＣＰＵを用いて前記ＲＯＭに記憶されている前記第１仕分プログラムを実行する。これにより、制御部５は、第１読取処理部５１、検出処理部５２、識別処理部５３、出力先検出部５４、判断処理部５５、第３格納処理部５６、第１格納処理部５７、出力処理部５８、及び消去処理部５９として機能する。
【００２８】
第１読取処理部５１は、原稿各々から画像データを順次読み取る。具体的に、第１読取処理部５１は、操作表示部７において予め定められた読取操作が行われる度に、画像読取部２の前記原稿台に載置された原稿から画像データを読み取る第１読取処理を実行する。ここに、第１読取処理部５１が、本発明における読取処理部の一例である。
【００２９】
例えば、第１読取処理部５１は、操作表示部７におけるユーザー操作に応じて、前記読取操作を受け付け可能な受付画面を操作表示部７に表示させる。そして、第１読取処理部５１は、前記受付画面が表示されている間、前記読取操作が受け付けられる度に前記第１読取処理を実行する。例えば、前記読取操作は、前記受付画面へのタッチ操作又は予め定められたハードキーへの操作である。
【００３０】
第１読取処理部５１によって読み取られる画像データは、以下に述べる検出処理部５２による検出結果に応じて、未分類フォルダー８３又はいずれかの分類フォルダー８４に格納される。
【００３１】
検出処理部５２は、第１読取処理部５１によって読み取られる画像データに含まれる予め定められた仕分画像を検出する。例えば、前記仕分画像は、原稿に貼付された付箋又はテープの画像である。
【００３２】
例えば、検出処理部５２は、第１読取処理部５１によって読み取られた画像データにおける下地色を検出する下地色検出処理を実行する。次に、検出処理部５２は、第１読取処理部５１によって読み取られた画像データにおける前記下地色検出処理によって検出された前記下地色とは異なる色の領域を検出する。そして、検出処理部５２は、前記異なる色の領域が予め定められたサイズの矩形状の領域に該当する場合に、前記異なる色の領域であって前記サイズの矩形状の領域を付箋の画像（前記仕分画像）であると判断する。なお、検出処理部５２は、原稿の外縁から外側へ向けて突出する矩形状の領域を付箋の画像であると判断してもよい。
【００３３】
なお、前記仕分画像は、原稿に付された予め定められた図形の画像であってもよい。また、前記仕分画像は、原稿における予め定められた位置に付された予め定められた文字、数字、又は記号の画像であってもよい。
【００３４】
識別処理部５３は、検出処理部５２によって検出された前記仕分画像の特徴を識別する。例えば、前記仕分画像の特徴は、原稿に貼付された付箋又はテープの色である。
【００３５】
なお、前記仕分画像の特徴は、原稿における付箋又はテープが貼付された位置であってもよい。また、前記仕分画像の特徴は、原稿に貼付された付箋又はテープの色及び原稿における付箋又はテープが貼付された位置の組み合わせであってもよい。また、前記仕分画像の特徴は、原稿に付された図形の色及び原稿における位置のいずれか一方又は両方であってもよい。また、前記仕分画像の特徴は、原稿に付された図形、文字、数字、又は記号の色であってもよい。
【００３６】
出力先検出部５４は、前記仕分画像に含まれる未分類フォルダー８３及び分類フォルダー８４の出力先を示す出力先情報を検出する。例えば、未分類フォルダー８３及び分類フォルダー８４の出力先は、ファイルシステムＦＳにおけるいずれかの個人フォルダー８２である。この場合、前記出力先情報は、画像形成装置１０にログイン可能なユーザーのユーザーＩＤ、又は個人フォルダー８２のフォルダー名などの個人フォルダー８２の識別に用いられる識別情報である。
【００３７】
例えば、出力先検出部５４は、前記仕分画像に含まれる文字を認識するＯＣＲ（光学文字認識）処理を実行する。そして、出力先検出部５４は、前記ＯＣＲ処理の実行結果に基づいて、前記出力先情報を検出する。
【００３８】
なお、未分類フォルダー８３及び分類フォルダー８４の出力先は、画像形成装置１０に接続されるＵＳＢメモリーであってもよい。この場合、前記出力先情報は、未分類フォルダー８３及び分類フォルダー８４の出力先が前記ＵＳＢメモリーであることを示す予め定められた情報である。また、未分類フォルダー８３及び分類フォルダー８４の出力先は、ＬＡＮ（ローカルエリアネットワーク）などのネットワークを介して接続される情報処理装置に設けられる記憶装置内のフォルダーであってもよい。この場合、前記出力先情報は、前記ネットワークにおける前記フォルダーの特定に用いられる情報であってもよい。
【００３９】
判断処理部５５は、第１読取処理部５１によって読み取られた画像データが前記仕分画像を含む場合に、共有フォルダー８１に識別処理部５３によって識別される前記仕分画像の特徴に対応付けられた分類フォルダー８４が存在するか否かを判断する。ここに、記憶部８に設けられる共有フォルダー８１が、本発明における第１記憶部の一例である。
【００４０】
例えば、画像形成装置１０では、後述する第１格納処理部５７により、制御部５の前記ＲＡＭにおける予め定められた記憶領域に前記仕分画像の特徴と分類フォルダー８４との対応関係を示す対応関係情報が格納される。判断処理部５５は、前記ＲＡＭの前記記憶領域に格納されている前記対応関係情報に基づいて、共有フォルダー８１に前記仕分画像の特徴に対応付けられた分類フォルダー８４が存在するか否かを判断する。ここに、制御部５の前記ＲＡＭにおける前記記憶領域が、本発明における第２記憶部の一例である。なお、前記対応関係情報は、記憶部８に格納されてもよい。
【００４１】
ここで、図４には、制御部５の前記ＲＡＭにおける前記記憶領域に格納される前記対応関係情報の一例として、対応関係情報Ｄ１１〜Ｄ１３が示されている。対応関係情報Ｄ１１は、共有フォルダー８１内に生成された分類フォルダー８４Ａ（図３参照）が赤色の付箋に対応付けられていることを示す情報である。また、対応関係情報Ｄ１２は、共有フォルダー８１内に生成された分類フォルダー８４Ｂ（図３参照）が黄色の付箋に対応付けられていることを示す情報である。また、対応関係情報Ｄ１３は、共有フォルダー８１内に生成された分類フォルダー８４Ｃ（図３参照）が青色の付箋に対応付けられていることを示す情報である。
【００４２】
第３格納処理部５６は、判断処理部５５によって前記仕分画像の種類に対応付けられた分類フォルダー８４が存在すると判断された場合に、第１読取処理部５１によって読み取られた画像データを、その画像データに含まれる前記仕分画像の特徴に対応する分類フォルダー８４に格納する。
【００４３】
また、第３格納処理部５６は、第１読取処理部５１によって読み取られた画像データが前記仕分画像を含まない場合に、前記仕分画像を含まない画像データを未分類フォルダー８３に格納する。
【００４４】
第１格納処理部５７は、判断処理部５５によって前記仕分画像の特徴に対応付けられた分類フォルダー８４が存在しないと判断された場合に、前記仕分画像の特徴に対応付けられた分類フォルダー８４を共有フォルダー８１に生成して、生成された分類フォルダー８４に前記仕分画像を含む画像データを格納する。
【００４５】
具体的に、第１格納処理部５７は、判断処理部５５によって前記仕分画像の特徴に対応付けられた分類フォルダー８４が存在しないと判断された場合に、共有フォルダー８１に新たな分類フォルダー８４を生成して、生成された新たな分類フォルダー８４と前記仕分画像の特徴との対応関係を示す前記対応関係情報を生成して、生成された前記対応関係情報を制御部５の前記ＲＡＭにおける前記記憶領域に格納する。
【００４６】
例えば、第１格納処理部５７は、判断処理部５５によって赤色の付箋に対応付けられた分類フォルダー８４が存在しないと判断された場合に、共有フォルダー８１に分類フォルダー８４Ａを生成すると共に、生成された分類フォルダー８４Ａと赤色の付箋との対応関係を示す対応関係情報Ｄ１１を生成して、生成された対応関係情報Ｄ１１を制御部５の前記ＲＡＭにおける前記記憶領域に格納する。そして、第１格納処理部５７は、赤色の付箋の画像を含む画像データを分類フォルダー８４Ａに格納する。
【００４７】
なお、制御部５に、識別処理部５３が含まれていなくてもよい。この場合、判断処理部５５は、第１読取処理部５１によって読み取られた画像データが前記仕分画像を含む場合に、共有フォルダー８１に前記仕分画像に対応付けられた分類フォルダー８４が存在するか否かを判断する。また、第３格納処理部５６は、判断処理部５５によって前記仕分画像に対応付けられた分類フォルダー８４が存在すると判断された場合に、第１読取処理部５１によって読み取られた画像データを前記仕分画像に対応付けられた分類フォルダー８４に格納する。また、第１格納処理部５７は、判断処理部５５によって前記仕分画像に対応付けられた分類フォルダー８４が存在しないと判断された場合に、前記仕分画像に対応付けられた分類フォルダー８４を共有フォルダー８１に生成して、生成された分類フォルダー８４に前記仕分画像を含む画像データを格納する。
【００４８】
出力処理部５８は、共有フォルダー８１に設けられている未分類フォルダー８３及び分類フォルダー８４を出力する。
【００４９】
例えば、出力処理部５８は、出力先検出部５４によって前記出力先情報が検出された場合に、前記出力先情報によって示される出力先に未分類フォルダー８３及び分類フォルダー８４を出力する。
【００５０】
また、出力処理部５８は、出力先検出部５４によって前記出力先情報が検出されない場合に、ユーザー操作によって指定された出力先に未分類フォルダー８３及び分類フォルダー８４を出力する。
【００５１】
なお、出力処理部５８は、ユーザーが画像形成装置１０にログインしている場合は、ログイン中のユーザーに対応する個人フォルダー８２に未分類フォルダー８３及び分類フォルダー８４を出力してもよい。また、出力処理部５８は、未分類フォルダー８３に画像データが格納されていない場合に、分類フォルダー８４のみを出力してもよい。
【００５２】
消去処理部５９は、制御部５の前記ＲＡＭにおける前記記憶領域に格納されている前記対応関係情報を消去する。
【００５３】
例えば、消去処理部５９は、出力処理部５８によって未分類フォルダー８３及び分類フォルダー８４が出力された場合に、制御部５の前記ＲＡＭにおける前記記憶領域に格納されている前記対応関係情報を消去する。
【００５４】
なお、制御部５は、出力先検出部５４を含んでいなくてもよい。また、制御部５は、出力先検出部５４、及び出力処理部５８を含んでいなくてもよい。また、制御部５は、出力先検出部５４、出力処理部５８、及び消去処理部５９を含んでいなくてもよい。
【００５５】
［第１仕分処理］
以下、図５を参照しつつ、画像形成装置１０において制御部５により実行される第１仕分処理の手順の一例と共に、本発明における画像読取方法の手順について説明する。ここで、ステップＳ１０、Ｓ１１・・・は、制御部５により実行される処理手順（ステップ）の番号を表している。なお、制御部５は、操作表示部７に対して前記第１仕分処理の実行を指示する旨のユーザーの操作が行われた場合に、前記第１仕分処理を実行する。
【００５６】
＜ステップＳ１０＞
まず、ステップＳ１０において、制御部５は、前記読取操作を受け付け可能な前記受付画面を操作表示部７に表示させる。
【００５７】
＜ステップＳ１１＞
ステップＳ１１において、制御部５は、ステップＳ１０で表示された前記受付画面において前記読取操作が受け付けられたか否かを判断する。
【００５８】
ここで、制御部５は、前記読取操作が受け付けられたと判断すると（Ｓ１１のＹｅｓ側）、処理をステップＳ１２に移行させる。また、前記読取操作が受け付けられていなければ（Ｓ１１のＮｏ側）、制御部５は、処理をステップＳ１９に移行させる。
【００５９】
＜ステップＳ１２＞
ステップＳ１２において、制御部５は、前記第１読取処理を実行する。
【００６０】
＜ステップＳ１３＞
ステップＳ１３において、制御部５は、ステップＳ１２で読み取られた画像データに含まれる前記仕分画像を検出する検出処理を実行する。例えば、制御部５は、ステップＳ１２で読み取られた画像データに含まれる付箋の画像を検出する。ここに、ステップＳ１３の処理が、本発明における検出ステップの一例であって、制御部５の検出処理部５２により実行される。
【００６１】
＜ステップＳ１４＞
ステップＳ１４において、制御部５は、ステップＳ１３で前記仕分画像が検出されたか否かを判断する。
【００６２】
ここで、制御部５は、ステップＳ１３で前記仕分画像が検出されたと判断すると（Ｓ１４のＹｅｓ側）、処理をステップＳ１５に移行させる。また、ステップＳ１３で前記仕分画像が検出されていなければ（Ｓ１４のＮｏ側）、制御部５は、処理をステップＳ１４１に移行させる。
【００６３】
＜ステップＳ１４１＞
ステップＳ１４１において、制御部５は、ステップＳ１２で読み取られた画像データを未分類フォルダー８３に格納する。ここで、ステップＳ１４１の処理は、制御部５の第３格納処理部５６により実行される。
【００６４】
＜ステップＳ１５＞
ステップＳ１５において、制御部５は、ステップＳ１３で検出された前記仕分画像の特徴を識別する識別処理を実行する。例えば、制御部５は、ステップＳ１３で検出された付箋の画像の色を前記仕分画像の特徴として識別する。ここで、ステップＳ１５の処理は、制御部５の識別処理部５３により実行される。これにより、前記仕分画像の特徴各々に対応する分類フォルダー８４を設けることが可能になる。
【００６５】
＜ステップＳ１６＞
ステップＳ１６において、制御部５は、ステップＳ１３で検出された前記仕分画像に含まれる、未分類フォルダー８３及び分類フォルダー８４の出力先を示す前記出力先情報を検出する出力先検出処理を実行する。ここで、ステップＳ１６の処理は、制御部５の出力先検出部５４により実行される。
【００６６】
＜ステップＳ１７＞
ステップＳ１７において、制御部５は、共有フォルダー８１にステップＳ１５で識別された前記仕分画像の特徴に対応付けられた分類フォルダー８４が存在するか否かを判断する。ここに、ステップＳ１７の処理が、本発明における判断ステップの一例であって、制御部５の判断処理部５５により実行される。
【００６７】
ここで、制御部５は、共有フォルダー８１にステップＳ１５で識別された前記仕分画像の特徴に対応付けられた分類フォルダー８４が存在すると判断すると（Ｓ１７のＹｅｓ側）、処理をステップＳ１８に移行させる。また、共有フォルダー８１にステップＳ１５で識別された前記仕分画像の特徴に対応付けられた分類フォルダー８４が存在していなければ（Ｓ１７のＮｏ側）、制御部５は、処理をステップＳ１７１に移行させる。
【００６８】
＜ステップＳ１８＞
ステップＳ１８において、制御部５は、ステップＳ１２で読み取られた画像データを、その画像データに含まれる前記仕分画像の特徴に対応する分類フォルダー８４に格納する。ここで、ステップＳ１８の処理は、制御部５の第３格納処理部５６により実行される。
【００６９】
＜ステップＳ１７１＞
ステップＳ１７１において、制御部５は、共有フォルダー８１にステップＳ１５で識別された前記仕分画像の特徴に対応付けられた分類フォルダー８４を生成して、生成された分類フォルダー８４にステップＳ１２で読み取られた画像データを格納する。ここに、ステップＳ１７１の処理が、本発明における格納ステップの一例であって、制御部５の第１格納処理部５７により実行される。
【００７０】
＜ステップＳ１９＞
ステップＳ１９において、制御部５は、ステップＳ１０で表示された前記受付画面において、前記第１仕分処理の終了を指示する終了操作が行われたか否かを判断する。
【００７１】
ここで、制御部５は、前記受付画面において前記終了操作が行われたと判断すると（Ｓ１９のＹｅｓ側）、処理をステップＳ２０に移行させる。また、前記受付画面において前記終了操作が行われていなければ（Ｓ１９のＮｏ側）、制御部５は、処理をステップＳ１１に移行させて、前記終了操作が行われるまでの間、前記受付画面上で前記読取操作を受け付ける。ここに、ステップＳ１０〜ステップＳ１２、及びステップＳ１９の処理が、本発明における読取ステップの一例であって、制御部５の第１読取処理部５１により実行される。
【００７２】
＜ステップＳ２０＞
ステップＳ２０において、制御部５は、以下に説明する出力処理を実行する。
【００７３】
［出力処理］
次に、図６を参照しつつ、前記第１仕分処理のステップＳ２０で実行される前記出力処理の手順の一例について説明する。
【００７４】
＜ステップＳ２０１＞
まず、ステップＳ２０１において、制御部５は、前記第１仕分処理のステップＳ１６で前記出力先情報が検出されたか否かを判断する。
【００７５】
ここで、制御部５は、前記第１仕分処理のステップＳ１６で前記出力先情報が検出されたと判断すると（Ｓ２０１のＹｅｓ側）、処理をステップＳ２０２に移行させる。また、前記第１仕分処理のステップＳ１６で前記出力先情報が検出されていなければ（Ｓ２０１のＮｏ側）、制御部５は、処理をステップＳ２０３に移行させる。
【００７６】
＜ステップＳ２０２＞
ステップＳ２０２において、制御部５は、前記第１仕分処理のステップＳ１６で検出された前記出力先情報によって示される出力先に、未分類フォルダー８３及び分類フォルダー８４を出力する。例えば、制御部５は、前記第１仕分処理のステップＳ１６の処理が複数回実行されて複数の前記出力先情報が検出された場合に、最後に検出された前記出力先情報に対応する出力先に、未分類フォルダー８３及び分類フォルダー８４を出力する。ここで、ステップＳ２０２の処理は、制御部５の出力処理部５８により実行される。
【００７７】
＜ステップＳ２０３＞
ステップＳ２０３において、制御部５は、未分類フォルダー８３及び分類フォルダー８４の出力先の入力に用いられる入力画面を操作表示部７に表示させる。そして、制御部５は、前記入力画面において、未分類フォルダー８３及び分類フォルダー８４の出力先を入力するユーザー操作が行われたか否かを判断する。
【００７８】
ここで、制御部５は、未分類フォルダー８３及び分類フォルダー８４の出力先を入力するユーザー操作が行われたと判断すると（Ｓ２０３のＹｅｓ側）、処理をステップＳ２０４に移行させる。また、未分類フォルダー８３及び分類フォルダー８４の出力先を入力するユーザー操作が行われていなければ（Ｓ２０３のＮｏ側）、制御部５は、ステップＳ２０３で未分類フォルダー８３及び分類フォルダー８４の出力先を入力するユーザー操作を待ち受ける。
【００７９】
＜ステップＳ２０４＞
ステップＳ２０４において、制御部５は、ステップＳ２０３で入力された未分類フォルダー８３及び分類フォルダー８４の出力先に、未分類フォルダー８３及び分類フォルダー８４を出力する。ここで、ステップＳ２０４の処理は、制御部５の出力処理部５８により実行される。
【００８０】
＜ステップＳ２０５＞
ステップＳ２０５において、制御部５は、前記ＲＡＭにおける前記記憶領域に格納されている前記対応関係情報を消去する。ここで、ステップＳ２０５の処理は、制御部５の消去処理部５９により実行される。これにより、前記第１仕分処理が実行される度に新たな分類フォルダー８４が生成される。そのため、ステップＳ２０２又はステップＳ２０４で出力される未分類フォルダー８３及び分類フォルダー８４に、過去に実行された前記第１仕分処理で仕分けされた画像データが混入することがない。また、前記ＲＡＭにおける前記記憶領域に格納されている前記対応関係情報が未分類フォルダー８３及び分類フォルダー８４の出力に応じて自動で消去されるため、ユーザーに前記対応関係情報を消去するための操作の手間が生じることがない。
【００８１】
なお、前記第１仕分処理において、ステップＳ１５、ステップＳ１６、及びステップＳ２０の処理は省略されてもよい。
【００８２】
このように、画像形成装置１０では、原稿から読み取られた画像データに含まれる前記仕分画像の種類に対応付けられた分類フォルダー８４が存在しない場合に、共有フォルダー８１に前記仕分画像の種類に対応付けられた分類フォルダー８４が生成されて、生成された分類フォルダー８４に前記仕分画像を含む画像データが格納される。これにより、原稿各々から読み取られる画像データを仕分けする場合に生じるユーザーの手間を軽減することが可能である。
【００８３】
［第２実施形態］
以下、図７〜図９を参照しつつ、第２実施形態に係る画像形成装置１０について説明する。第２実施形態に係る画像形成装置１０では、制御部５の構成が第１実施形態と異なっている。
【００８４】
具体的に、制御部５の前記ＲＯＭには、前記ＣＰＵに後述の第２仕分処理（図８のフローチャート参照）を実行させるための第２仕分プログラムが予め記憶されている。
【００８５】
そして、制御部５は、図７に示されるように、第２読取処理部６０、検出処理部５２、識別処理部５３、出力先検出部５４、判断処理部５５、第３格納処理部５６、第１格納処理部５７、出力処理部５８、消去処理部５９、第２格納処理部６１、及び移動処理部６２を含む。具体的に、制御部５は、前記ＣＰＵを用いて前記ＲＯＭに記憶されている前記第２仕分プログラムを実行することで、第２読取処理部６０、検出処理部５２、識別処理部５３、出力先検出部５４、判断処理部５５、第３格納処理部５６、第１格納処理部５７、出力処理部５８、消去処理部５９、第２格納処理部６１、及び移動処理部６２として機能する。なお、検出処理部５２、識別処理部５３、出力先検出部５４、判断処理部５５、第３格納処理部５６、第１格納処理部５７、出力処理部５８、及び消去処理部５９については、第２読取処理部６０によって読み取られる画像データに対して処理が行われる点を除いて、第１実施形態と異なるところがないため、その説明を省略する。
【００８６】
第２読取処理部６０は、原稿各々から画像データを順次読み取る。具体的に、第２読取処理部６０は、ＡＤＦ１によって搬送される原稿各々から画像データを順次読み取る第２読取処理を実行する。ここに、第２読取処理部６０が、本発明における読取処理部の他の一例である。
【００８７】
第２格納処理部６１は、第２読取処理部６０によって読み取られた画像データが前記仕分画像を含まない場合であって、前記仕分画像を含まない画像データが前記読取処理部によって読み取られる最初の画像データではない場合に、前記仕分画像を含まない画像データを、第２読取処理部６０によって読み取られた一つ前の画像データが格納された分類フォルダー８４又は未分類フォルダー８３に格納する。
【００８８】
また、第２格納処理部６１は、第２読取処理部６０によって読み取られた画像データが前記仕分画像を含まない場合であって、前記仕分画像を含まない画像データが第２読取処理部６０によって読み取られる最初の画像データである場合に、前記仕分画像を含まない画像データを未分類フォルダー８３に格納する。ここで、未分類フォルダー８３が、本発明における特定フォルダーの一例である。
【００８９】
移動処理部６２は、検出処理部５２によって前記仕分画像が検出された場合であって、未分類フォルダー８３に画像データが格納されている場合に、未分類フォルダー８３に格納されている画像データを、検出処理部５２によって検出された前記仕分画像の特徴に対応付けられた分類フォルダー８４に移動させる。
【００９０】
［第２仕分処理］
以下、図８を参照しつつ、画像形成装置１０において制御部５により実行される第２仕分処理の手順の一例について説明する。なお、制御部５は、操作表示部７に対して前記第２仕分処理の実行を指示する旨のユーザーの操作が行われた場合に、前記第２仕分処理を実行する。なお、以下では、前記第１仕分処理と共通する処理内容については、前記第１仕分処理と同じ符号を付し示すことにより、その詳細な説明を省略する。
【００９１】
＜ステップＳ３０＞
まず、ステップＳ３０において、制御部５は、前記第２読取処理を実行して、ＡＤＦ１の前記原稿セット部に載置された原稿各々からの画像データの読み取りを開始する。ここに、ステップＳ３０の処理が、本発明における読取ステップの他の一例であって、制御部５の第２読取処理部６０により実行される。
【００９２】
＜ステップＳ３１＞
ステップＳ３１において、制御部５は、以下に述べる第２格納処理を実行する。
【００９３】
［第２格納処理］
ここで、図９を参照しつつ、前記第２仕分処理のステップＳ３１で実行される前記第２格納処理の手順の一例について説明する。なお、前記第２仕分処理のステップＳ３２以降の説明は、前記第２格納処理の説明の終了後に行う。
【００９４】
＜ステップＳ３１１＞
まず、ステップＳ３１１において、制御部５は、前記第２仕分処理のステップＳ１４で前記仕分画像が検出されていないと判断された画像データが前記第２読取処理によって最初に読み取られた画像データであるか否かを判断する。
【００９５】
ここで、制御部５は、前記仕分画像が検出されていないと判断された画像データが前記第２読取処理によって最初に読み取られた画像データであると判断すると（Ｓ３１１のＹｅｓ側）、処理をステップＳ３１３に移行させる。また、前記仕分画像が検出されていないと判断された画像データが前記第２読取処理によって最初に読み取られた画像データでなければ（Ｓ３１１のＮｏ側）、制御部５は、処理をステップＳ３１２に移行させる。
【００９６】
＜ステップＳ３１２＞
ステップＳ３１２において、制御部５は、前記第２仕分処理のステップＳ１４で前記仕分画像が検出されていないと判断された画像データを、直前に画像データが格納された分類フォルダー８４又は未分類フォルダー８３に格納する。ここで、ステップＳ３１２の処理は、制御部５の第２格納処理部６１により実行される。
【００９７】
＜ステップＳ３１３＞
ステップＳ３１３において、制御部５は、前記第２仕分処理のステップＳ１４で前記仕分画像が検出されていないと判断された画像データを、未分類フォルダー８３に格納する。ここで、ステップＳ３１３の処理は、制御部５の第２格納処理部６１により実行される。以上で前記第２格納処理の説明を終了して、前記第２仕分処理のステップＳ３２以降の処理の説明を再開する。
【００９８】
＜ステップＳ３２＞
ステップＳ３２において、制御部５は、未分類フォルダー８３に画像データが格納されているか否かを判断する。
【００９９】
ここで、制御部５は、未分類フォルダー８３に画像データが格納されていると判断すると（Ｓ３２のＹｅｓ側）、処理をステップＳ３３に移行させる。また、未分類フォルダー８３に画像データが格納されていなければ（Ｓ３２のＮｏ側）、制御部５は、処理をステップＳ３４に移行させる。
【０１００】
＜ステップＳ３３＞
ステップＳ３３において、制御部５は、未分類フォルダー８３に格納されている画像データを、ステップＳ１３で検出された前記仕分画像の特徴に対応付けられた分類フォルダー８４に移動させる移動処理を実行する。ここで、ステップＳ３３の処理は、制御部５の移動処理部６２により実行される。これにより、前記原稿セット部に載置された原稿束における最上層の原稿に前記仕分画像が付された後に、前記最上層の原稿と同じ仕分先に仕分けする追加の原稿が前記最上層の原稿の上に重ねられた場合であっても、前記仕分画像を付し直す必要がない。
【０１０１】
＜ステップＳ３４＞
ステップＳ３４において、制御部５は、前記第２読取処理が終了したか否かを判断する。例えば、制御部５は、前記原稿セット部に載置されている原稿がなくなった場合に、前記第２読取処理が終了したと判断する。なお、制御部５は、前記原稿セット部に設けられた光センサーなどの不図示のセンサーを用いて、前記原稿セット部における原稿の有無を判断する。
【０１０２】
ここで、制御部５は、前記第２読取処理が終了したと判断すると（Ｓ３４のＹｅｓ側）、処理をステップＳ２０に移行させる。また、前記第２読取処理が終了していなければ（Ｓ３４のＮｏ側）、制御部５は、処理をステップＳ１３に移行させる。
【０１０３】
なお、前記第２仕分処理において、ステップＳ３２、及びステップＳ３３の処理は省略されてもよい。
【０１０４】
このように、第２実施形態では、原稿から読み取られた画像データが前記仕分画像を含まない場合に、前記仕分画像を含まない画像データが、直前に画像データが格納された分類フォルダー８４又は未分類フォルダー８３に分類される。これにより、ユーザーは、仕分の対象となる全ての原稿に付箋などの仕分画像を付する必要が無くなる。そのため、原稿各々から読み取られる画像データを仕分けする場合に生じるユーザーの手間をより軽減することが可能である。
【符号の説明】
【０１０５】
１    ＡＤＦ
２    画像読取部
３    画像形成部
４    給紙部
５    制御部
７    操作表示部
８    記憶部
１０  画像形成装置
５１  第１読取処理部
５２  検出処理部
５３  識別処理部
５４  出力先検出部
５５  判断処理部
５６  第３格納処理部
５７  第１格納処理部
５８  出力処理部
５９  消去処理部
６０  第２読取処理部
６１  第２格納処理部
６２  移動処理部
【図１】
2018093306.tif 000003
【図２】
2018093306.tif 000004
【図３】
2018093306.tif 000005
【図４】
2018093306.tif 000006
【図５】
2018093306.tif 000007
【図６】
2018093306.tif 000008
【図７】
2018093306.tif 000009
【図８】
2018093306.tif 000010
【図９】
2018093306.tif 000011